(57)【要約】      （修正有）【課題】屋外の燃料タンク等において燃料の抜き取りを防止するための中栓を提供する。【解決手段】給油孔２の周囲に内周リブ３を有する燃料タンクにおいて、その給油孔に給油ポンプの一端２１を入れて内部の燃料を抜き取られないようにするため、内周リブに装着させ、さらに容易に取外しができないようにし、かつ、給油ポンプの一端が燃料水準面に達しないようにした給油可能な筒状燃料盗難防止用中栓７であって、筒状燃料盗難防止用中栓の上端部に内周リブで止められる係止フランジ７１を付け、さらに係止フランジから内周リブの厚さだけ離して筒状燃料盗難防止用中栓の外壁に突起状の凸部をつけ、係止フランジと突起状の凸部により内周リブを挟むようにして装着する筒状燃料盗難防止用中栓。【選択図】図５
0003141140.tif 000002
【実用新案登録請求の範囲】
【請求項１】
給油孔の周囲に内周リブを有する燃料タンクにおいて、その給油孔に給油ポンプの一端を入れて内部の燃料を抜き取られないようにするため、内周リブに装着させ、さらに容易に取外しができないようにし、かつ、給油ポンプの一端が燃料の上表面に達しないようにした給油可能な筒状燃料盗難防止用中栓。
【請求項２】
燃料タンクの給油孔の周囲の内周リブに装着させ、さらに容易に取外しができないようにするため、筒状燃料盗難防止用中栓の上端部に内周リブで止められる係止フランジを付け、さらに係止フランジから内周リブの厚さだけ離して筒状燃料盗難防止用中栓の外壁に突起状の凸部をつけ、この係止フランジと突起状の凸部により内周リブを挟むようにして装着する請求項１の筒状燃料盗難防止用中栓。
【請求項３】
燃料タンク内への燃料の給油を容易にするため、筒状燃料盗難防止用中栓の下部にはパンチングメタルあるいは金網を用いた請求項１または請求項２の筒状燃料盗難防止用中栓。
【請求項４】
請求項１、請求項２または請求項３の構造を有したプラスチック製筒状燃料盗難防止用中栓。
【請求項５】
給液孔の周囲に内周リブを有する液体タンクにおいて、その給液孔に給液ポンプの一端を入れて内部の液体を抜き取られないようにするための請求項１ないし請求項４の構造を有する筒状液体盗難防止用中栓
【考案の詳細な説明】
【技術分野】
【０００１】
本考案は、燃料のタンク内の燃料の抜き取りを防止する盗難防止用中栓に関する。
【背景技術】
【０００２】
燃料タンク等は屋外に設置されるのが一般的である。原油の高騰により、屋外に設置されている燃料タンクより、簡易な給油ポンプ等で灯油が抜き取られる事件が発生している。本考案は、この盗難を防止するために、屋外等に設置された燃料タンクの注入孔の栓の内部にさらに中栓を設け、燃料の盗難を防止するものである。
【０００３】
家庭用灯油タンク等は一般には屋外に設置されている場合が多い。屋外に設置されている灯油タンクには、燃料業者が巡回し、必要に応じ燃料投入してくれるため、利便性がある。その一方で、屋外に設置されているため、常時管理することは難しく、燃料の抜き取り盗難等の問題が生じる。
【０００４】
燃料タンクの給油孔を観察すると、給油孔の強度維持や給油ノズルの係止のため、給油孔の周囲に図１に示すように内周リブをつけている燃料タンクが多い。この内周リブに図２に示すようなゴミフィルターを設置して燃料の汚染を防止し、燃焼設備を保護している場合もある。しかしこのゴミフィルターは簡単に取外しができるようになっている。
【０００５】
本考案者は、このゴミフィルターの構造を改良し、屋外等に設置された燃料タンクの燃料抜き取り防止用の中栓にすることができないかを検討した。すなわち、本考案は、中栓を内周リブに装着させ、かつ、この中栓を容易に取外しできなくなるようにし、この中栓により給油ポンプの一端が燃料タンク内深くに入らないようにして盗難を防止するものである。給油ポンプとは、燃料を移動させる機能を有するものをいい、手動、電動を問はない。また、給油ポンプの一端とは、給油ポンプにおいて吸引側のパイプの端をいう。
これまでの先行技術等では、燃料タンクに発振装置を付けて盗難防止を図るもの(特許文献１)、燃料抜き取り盗難を防止するため、燃料タンクのキャップに離脱阻止状態に保持する施錠手段もの(特許文献２)等がある。
【特許文献１】特許公開平11-324441
【特許文献２】特許公開2002−188179
【考案の開示】
【考案が解決しようとする課題】
【０００６】
解決しようとする問題点は、屋外等に設置された燃料タンクにおいて、内部の燃料を給油ポンプ等で安易に抜き取られない中栓を提供することである。
【課題を解決するための手段】
【０００７】
すなわち、請求項１の考案は、給油孔の周囲に内周リブを有する燃料タンクにおいて、その給油孔に給油ポンプの一端を入れて内部の燃料を抜き取られないようにするため、内周リブに装着させ、さらに容易に取外しができないようにし、かつ、給油ポンプの一端が燃料の上表面に達しないようにした給油可能な筒状燃料盗難防止用中栓である。
【０００８】
本考案は、燃料タンク等の給油孔には、前述したように一般的に内周リブ３が付いている。この内周リブ３に装着させ、さらに容易に取外しができないような中栓を提供するものである。図４に示すゴミフィルターでは簡単に取外すことができ盗難防止にはならない。「容易に取外しができない。」としたのは、中栓と給油孔とを溶接等をして固定し取外しができなくするものではなく、内部の清掃や点検等の時には取外すことができるが、容易には取外せないようにすることを意味するものである。燃料を給油ポンプで抜き取るときに容易には取外せない構造とすれば盗難防止になるためである。容易に取外しができないようにする手段としては、中栓の上部を内周リブに沿って折り曲げ構造として、内周リブに装着する方法等がある。給油ポンプの一端が燃料タンク内深く入らないようにするため筒状燃料盗難防止用中栓の下端部は開口とせず閉じた状態となっており、筒には、燃料を通過させ、給油可能にするため給油ポンプの一端が通過しない程度の大きさの孔が側面及び底面に連続的に空けられている。また筒状燃料盗難防止用中栓の下端部を給油ポンプの一端の断面積より小さな孔として開口しても良い。そうすれば給油ポンプの一端は筒状燃料盗難防止用中栓の下端部より深くは燃料タンクに入らず、燃料の抜き取りを防ぐことはできる。
【０００９】
請求項２の考案は、燃料タンクの給油孔の周囲の内周リブに装着させ、さらに容易に取外しができないようにするため、筒状燃料盗難防止用中栓の上端部に内周リブで止められる係止フランジを付け、さらに係止フランジから内周リブの厚さだけ離して筒状燃料盗難防止用中栓の外壁に突起状の凸部をつけ、この係止フランジと突起状の凸部により内周リブを挟むようにして装着する請求項１の筒状燃料盗難防止用中栓である。
【００１０】
内周リブを係止フランジと筒状燃料盗難防止用中栓の外壁に付けられた突起状の凸部で挟み容易に取外しができないようにしたものである。係止フランジと凸部の距離は内周リブの厚さにより決められる。突起状の凸部としては、ハーフパンチあるいは切り出し等が考えられる。ハーフパンチとは、ダボ出しともいわれ、ワークを板厚あるいは板厚の半分程度に打ち抜き球状の突起を付けることをいい、あたりやストッパーとういう用途がある。切り出しはワークにコの字状の切り込みを入れその部分を起こして回転や滑りを止める用途があり、切り起こしとも呼ばれる。図３にハーフパンチ及び切り出しの概略を示す。ハーフパンチでは図３に示す上下の動きを止めることができる。また切り出しでは、材質のスプリングバックにより特に上方への動きを止めることができる。
【００１１】
請求項３の考案は、燃料タンク内への給油を容易にするため、筒状燃料盗難防止用中栓の下部にはパンチングメタルあるいは金網を用いた請求項１または請求項２の筒状燃料盗難防止用中栓である。
【００１２】
筒状燃料盗難防止用中栓は、筒に孔を空けて燃料が通過するようになっている。この中栓は、一枚の鋼板をプレス加工、孔空け加工等をして製造することが出来る。しかし、こうした加工は手間がかかるため、係止フランジと突起状の凸部を形成した筒状すなわち、筒状燃料盗難防止用中栓の上部を製造し、次にこの上部にパンチングメタルあるいは金網を筒状にして付けて一体化するものである。パンチングメタルあるいは金網はスポット溶接等により筒状燃料盗難防止用中栓の上部に付けられる。ただしつける方法はスポット溶接に限られるものではない。ここで筒状燃料盗難防止用中栓の下部とは、係止フランジと突起状の凸部を除いた燃料が通過するための孔が空いた筒状の部分を言う。なお、パンチングメタルとは抜き打ち金網とも呼ばれ、金属を主体とした素材に対し打ち抜き加工を行い連続的な孔を開けた製品をいう。
【００１３】
請求項４の考案は、請求項１、請求項２または請求項３の構造を有したプラスチック製筒状燃料盗難防止用中栓である。
【００１４】
請求項１ないし請求項３の筒状燃料盗難防止用中栓は金属製だけでなくプラスチック製でも製造することができる。筒状燃料盗難防止用中栓全部を射出成形により製造することもできるし、筒状燃料盗難防止用中栓の上部をプラスチック製とし下部に筒状のパンチングメタルあるいは金網をつけることもできる。すなわち、筒状燃料盗難防止用中栓のすべてをプラスチック製とするものあるいは一部をプラスチック製とするものがある。
【００１５】
請求項５の考案は、給液孔の周囲に内周リブを有する液体タンクにおいて、その給液孔に給液ポンプの一端を入れて内部の液体を抜き取られないようにするための請求項１ないし請求項４の構造を有する筒状液体盗難防止用中栓である。
【００１６】
請求項１ないし請求項４の考案は、燃料タンクだけでなく、給液孔の周囲に円周リブがある液体タンクの盗難防止用中栓としても用いることができる。そのため、請求項5の考案は、筒状燃料盗難防止用中栓を燃料タンクだけでなく、液体タンク等へ利用範囲を広げたものである。請求項５の液体タンクの場合、前記の請求項１ないし請求項４、明細書及び図面等に記載された燃料及び給油は、それぞれ液体及び給液と読み替えるものとする。
【考案の効果】
【００１７】
請求項１の考案では、給油孔の周囲に内周リブを有する燃料タンクにおいて特に屋外に設置する場合に、抜き取りによる盗難を防止する筒状燃料盗難防止用中栓を提供するものである。請求項２の考案では、円周リブを係止フランジと突起状の凸部により挟む構造として容易に取外しができないようにした筒状燃料盗難防止用中栓を提供するものである。請求項３の考案は、パンチングメタルあるいは金網を用いてより安価にして筒状燃料盗難防止用中栓を提供するものである。請求項４の考案は、全部または一部をプラスチック製の筒状燃料盗難防止用中栓を提供するものである。請求項５の考案は、上記の筒状燃料盗難防止用中栓を一般の液体タンクに利用するものである。
【考案を実施するための最良の形態】
【００１８】
前記各考案の実施の形態を以下に示す。
【実施例１】
【００１９】
図４は鋼板よりプレス、孔空け加工等をして製造した筒状燃料盗難防止用中栓７である。燃料タンクの内周リブ３は筒状燃料盗難防止用中栓に設けられた係止フランジ７１と切り出し部７２により挟まれている。切り出し部７２は、内周リブ３に対し直角に燃料タンクに押し込み装着させるが、これを引き抜くことは、材質のスプリングバックにより困難であり、容易に筒状燃料盗難防止用中栓７を取り外すことができない。切り出し部７２は３箇所設けられているが、ここでは一箇所しか図示していない。給油ポンプの一端２１が燃料タンク内に入ってきても筒状燃料盗難防止用中栓７に遮られ深く入ることはできず、内部の燃料を抜き取ることはできない。燃料が通過する孔７３は給油ポンプの一端の断面積より狭く作られている。
【実施例２】
【００２０】
図５は、金網８を用いた筒状燃料盗難防止用中栓７である。まず鋼板のプレス加工等により筒状燃料盗難防止用中栓の上部７４を製造する。次に筒状燃料盗難防止用中栓の外径に合わせて片方を開口しない筒状に加工した金網８を筒状燃料盗難防止用中栓の上部７４に付けて一体化し、筒状燃料盗難防止用中栓７の下部７５としている。ここではスポット溶接により筒状の金網８を筒状燃料盗難防止用中栓の上部７４に付けている。金網８は、線材の径が太く目の荒い強度を有するものを使用する。
【実施例３】
【００２１】
図６はプラスチック製筒状燃料盗難防止用中栓７の概略図である。射出成形により一体的に製造される。係止フランジ７１とハーフパンチ部７７に内周リブが挟まれて筒状燃料盗難防止用中栓が装着している。燃料(液体)が通過する筒部は網目上になっており、筒状燃料盗難防止用中栓の下端部７８にまでテーパー状になっている。下端部７８は開口されているが、給油ポンプの一端が通るほどの大きさではなく燃料の抜き取りを防止できる。プラスチック製の筒状燃料盗難防止用中栓は小型の燃料タンク等に利用できる。
【産業上の利用可能性】
【００２２】
給油孔に内周リブを有する燃料タンクであれば、有効な燃料抜き取り防止対策となるものであり、製造費は安価であり、さらに取り外すことも可能であるため、今後利用される機会があると思われる。
【図面の簡単な説明】
【００２３】
【図１】燃料タンクの給油孔
【図２】ゴミフィルター
【図３】ハーフパンチと切り出し図
【図４】筒状燃料盗難防止用中栓
【図５】金網を用いた筒状燃料盗難防止用中栓
【図６】プラスチック製筒状燃料盗難防止用中栓
【符号の説明】
【００２４】
１    燃料タンク
２    給油孔  ２１  給油ポンプの一端
３    内周リブ
４    ゴミフィルター    ４１（ゴミフィルターの）係止フランジ
５    ハーフパンチ  
６  切り出し  
７  筒状燃料盗難防止用中栓    ７１  係止フランジ    ７２  切り出し部  ７３（燃料が通過する）孔  ７４（筒状燃料盗難防止用中栓の）上部  ７５（筒状燃料盗難防止用中栓の）下部  ７６スポット溶接部  ７７  ハーフパンチ部  ７８  (筒状燃料盗難防止用中栓)の下端部
８  金網
【図１】
0003141140.tif 000003
【図２】
0003141140.tif 000004
【図３】
0003141140.tif 000005
【図４】
0003141140.tif 000006
【図５】
0003141140.tif 000007
【図６】
0003141140.tif 000008